(57)【要約】【課題】簡易な構成で記録媒体の搬送方向を切り替える。【解決手段】現像器４２Ｋの現像ロール４６Ｋが像保持体３２に対向するようにロータリ現像装置４０が回転すると、搬送路切替機構６２の動作によって主搬送路２２が排出用搬送路２４に接続される。現像器４２Ｙ，４２Ｍ，４２Ｃの現像ロール４６Ｙ，４６Ｍ，４６Ｃのいずれかが像保持体３２に対向するようにロータリ現像装置４０が回転すると、搬送路切替機構６２の動作によって主搬送路２２が周回用搬送路２６に接続される。【選択図】図１
2010164873.tif 000002
【特許請求の範囲】
【請求項１】
像保持体と、
この像保持体が保持する静電潜像をそれぞれ異なる色の現像剤で可視化する複数の現像器と、
前記像保持体が保持する静電潜像を前記複数の現像器が順次に可視化するように、前記複数の現像器を切り替える現像器切替機構と、
前記複数の現像器の少なくともいずれかが可視化した現像剤像を記録媒体に転写する転写手段と、
この転写手段が転写した現像剤像を記録媒体に定着させる定着装置と、
この定着装置が現像剤像を定着させた記録媒体を第１の方向に搬送する第１の搬送手段と、
前記定着装置が現像剤像を定着させた記録媒体を第２の方向に搬送する第２の搬送手段と、
前記現像器切替機構が前記複数の現像器を切り替える動作に連動して、前記第１の搬送手段と前記第２の搬送手段とを切り替える搬送路切替機構と、
を有する画像形成装置。
【請求項２】
前記現像器切替機構は、
前記複数の現像器を現像位置に順次に移動させることにより、前記複数の現像器を切り替える
請求項１記載の画像形成装置。
【請求項３】
前記現像器切替機構は、
前記複数の現像器を順次に駆動させて、前記複数の現像器を切り替える
請求項１記載の画像形成装置。
【請求項４】
前記搬送路切替機構は、
前記複数の現像器の予め定められたいずれかが静電潜像を可視化するように前記現像器切替機構が前記複数の現像器を切り替える動作に連動して、前記第１の搬送手段が記録媒体を搬送するように切り替える
請求項１乃至３いずれか記載の画像形成装置。
【請求項５】
前記転写手段が複数色の現像剤像を記録媒体に転写する場合、
前記現像器切替機構は、
前記複数の現像器の予め定められたいずれかが最後に静電潜像を可視化するように、前記複数の現像器を切り替える
請求項４記載の画像形成装置。
【請求項６】
前記第１の搬送手段は、
前記定着装置が現像剤像を定着させた記録媒体を排出する方向に記録媒体を搬送し、
前記第２の搬送手段は、
前記定着装置が現像剤像を定着させた記録媒体を、前記転写手段が現像剤像を転写する転写位置に向けて搬送する
請求項１乃至５いずれか記載の画像形成装置。
【発明の詳細な説明】
【技術分野】
【０００１】
本発明は、画像形成装置に関するものである。
【背景技術】
【０００２】
特許文献１は、カラー画像を定着された転写紙を再び転写位置に戻す循環路を設けて、転写紙の同じ面に別のカラー画像の転写、定着が行われるようにしたカラー画像記録装置を開示する。また、特許文献２は、記録媒体上に定着されたカラートナー画像の上に所望の回数だけカラートナー画像が形成されると、切替えフラップが制御部の制御によって回動され、記録媒体が装置外に排出されるカラー電子写真画像形成装置を開示する。また、特許文献３は、トナー画像が転写された用紙を転写器及び定着器を複数回通過させて用紙上で複数色のトナー画像を重ねて形成する画像形成装置を開示する。
【先行技術文献】
【特許文献】
【０００３】
【特許文献１】特開昭６３−２９６０６７号公報
【特許文献２】特開平０５−１８８７２８号公報
【特許文献３】特開２００６−３４９７０１号公報
【発明の概要】
【発明が解決しようとする課題】
【０００４】
本発明は、簡易な構成で記録媒体の搬送方向を切り替えることができる画像形成装置を提供することを目的とする。
【課題を解決するための手段】
【０００５】
上記目的を達成するため、請求項１に係る本発明は、像保持体と、この像保持体が保持する静電潜像をそれぞれ異なる色の現像剤で可視化する複数の現像器と、前記像保持体が保持する静電潜像を前記複数の現像器が順次に可視化するように、前記複数の現像器を切り替える現像器切替機構と、前記複数の現像器の少なくともいずれかが可視化した現像剤像を記録媒体に転写する転写手段と、この転写手段が転写した現像剤像を記録媒体に定着させる定着装置と、この定着装置が現像剤像を定着させた記録媒体を第１の方向に搬送する第１の搬送手段と、前記定着装置が現像剤像を定着させた記録媒体を第２の方向に搬送する第２の搬送手段と、前記現像器切替機構が前記複数の現像器を切り替える動作に連動して、前記第１の搬送手段と前記第２の搬送手段とを切り替える搬送路切替機構と、を有する画像形成装置である。
【０００６】
請求項２に係る本発明は、前記現像器切替機構は、前記複数の現像器を現像位置に順次に移動させることにより、前記複数の現像器を切り替える請求項１記載の画像形成装置である。
【０００７】
請求項３に係る本発明は、前記現像器切替機構は、前記複数の現像器を順次に駆動させて、前記複数の現像器を切り替える請求項１記載の画像形成装置である。
【０００８】
請求項４に係る本発明は、前記搬送路切替機構は、前記複数の現像器の予め定められたいずれかが静電潜像を可視化するように前記現像器切替機構が前記複数の現像器を切り替える動作に連動して、前記第１の搬送手段が記録媒体を搬送するように切り替える請求項１乃至３いずれか記載の画像形成装置である。
【０００９】
請求項５に係る本発明は、前記転写手段が複数色の現像剤像を記録媒体に転写する場合、前記現像器切替機構は、前記複数の現像器の予め定められたいずれかが最後に静電潜像を可視化するように、前記複数の現像器を切り替える請求項４記載の画像形成装置である。
【００１０】
請求項６に係る本発明は、前記第１の搬送手段は、前記定着装置が現像剤像を定着させた記録媒体を排出する方向に記録媒体を搬送し、前記第２の搬送手段は、前記定着装置が現像剤像を定着させた記録媒体を、前記転写手段が現像剤像を転写する転写位置に向けて搬送する請求項１乃至５いずれか記載の画像形成装置である。
【発明の効果】
【００１１】
請求項１に係る本発明によれば、本構成を有していない場合に比較して、簡易な構成で記録媒体の搬送方向を切り替えることができる。
【００１２】
請求項２に係る本発明によれば、請求項１に係る本発明の効果に加えて、本構成を有していない場合に比較して、現像器の移動に合わせて記録媒体の搬送方向を切り替えることができる。
【００１３】
請求項３に係る本発明によれば、請求項１に係る本発明の効果に加えて、本構成を有していない場合に比較して、現像器の駆動に合わせて記録媒体の搬送方向を切り替えることができる。
【００１４】
請求項４に係る本発明によれば、請求項１乃至３いずれかに係る本発明の効果に加えて、複数の現像器の予め定められたいずれかが静電潜像を可視化する動作に対し、第１の搬送手段が記録媒体を搬送することを関連付けることができる。
【００１５】
請求項５に係る本発明によれば、請求項４に係る本発明の効果に加えて、複数の現像器が最後に静電潜像を可視化する動作に対し、第１の搬送手段が記録媒体を搬送することを関連付けることができる。
【００１６】
請求項６に係る本発明によれば、請求項１乃至５いずれかに係る本発明の効果に加えて、本構成を有していない場合に比較して、記録媒体の排出と現像剤像の再転写とを簡易な構成で切り替えることができる。
【図面の簡単な説明】
【００１７】
【図１】本発明の第１の実施形態に係る画像形成装置の概要を示す側面図である。
【図２】搬送路切替機構及びその周辺を示す図であって、（Ａ）は側面図であり、（Ｂ）は正面図である。
【図３】搬送路切替機構の動作の概要を示す側面図であって、（Ａ）〜（Ｄ）はロータリ現像装置の回転状態を示す側面図であり、（Ｅ）〜（Ｆ）は（Ａ）〜（Ｄ）に示したロータリ現像装置の状態に対応する搬送路切替機構の状態を示す側面図である。
【図４】白黒印刷を行う場合の画像形成装置の状態を示す側面図である。
【図５】図４に示した画像形成装置における搬送路切替機構と、排出用搬送路及び主搬送路との関係を示す側面図である。
【図６】カラー印刷を行う場合の画像形成装置の状態を例示する側面図である。
【図７】図６に示した画像形成装置における搬送路切替機構と、周回用搬送路及び主搬送路との関係を示す側面図である。
【図８】本発明の第２の実施形態に係る画像形成装置の概要を示す側面図である。
【図９】各現像ロールを駆動するための駆動系を示す図であって、（Ａ）は駆動系の側面図であり、（Ｂ）は駆動系の正面図である。
【図１０】切替機構を示す図であって、（Ａ）は切替機構の側面図であり、（Ｂ）は切替機構の拡大正面図である。
【図１１】切替機構及びその周辺を示す正面図である。
【図１２】黒の現像剤で静電潜像を現像する現像ロールを駆動するとともに、主搬送路を排出用搬送路に接続するように回転板が回転した状態を示す状態図である。
【図１３】イエローの現像剤で静電潜像を現像する現像ロールを駆動するとともに、主搬送路を周回用搬送路に接続するように回転板が回転した状態を示す状態図である。
【図１４】マゼンタの現像剤で静電潜像を現像する現像ロールを駆動するとともに、主搬送路を周回用搬送路に接続するように回転板が回転した状態を示す状態図である。
【図１５】シアンの現像剤で静電潜像を現像する現像ロールを駆動するとともに、主搬送路を周回用搬送路に接続するように回転板が回転した状態を示す状態図である。
【図１６】図８に示した画像形成装置が黒の画像印刷を行う場合における切替機構と、排出用搬送路及び主搬送路との関係を示す側面図である。
【図１７】画像形成装置がイエローの画像印刷を行う場合における切替機構と、周回用搬送路及び主搬送路との関係を示す側面図である。
【発明を実施するための形態】
【００１８】
次に本発明の第１の実施形態を図面に基づいて説明する。
図１において、本発明の第１の実施形態に係る画像形成装置１０の概要が示されている。画像形成装置１０は、画像形成装置本体１２を有し、この画像形成装置本体１２の上部に開閉部１３が設けられ、画像形成装置本体１２の例えば正面側（図１において右側）に給紙ユニット１４が配置されている。開閉部１３は、軸部１５を中心に開閉するようにされており、開かれた場合に画像形成装置本体１２の上部に記録媒体を排出するための排出部１６（図４等参照）を形成するようにされている。
【００１９】
給紙ユニット１４は、下部に設けられた図示しない軸部を中心に開閉自在にされており、開かれた場合に用紙などの記録媒体を収容する給紙カセット１７を有する（図４等参照）。給紙カセット１７は、伸縮可能にされており、例えば収容可能な最大サイズの記録媒体がＡ４サイズの用紙にされている。給紙カセット１７には、給紙カセット１７から記録媒体を取り出す取り出しロール１８が配置されている。
【００２０】
取り出しロール１８が給紙カセット１７から取り出した記録媒体は、供給ロール２０と図示しない捌き部材とによって捌かれ、１枚づつ主搬送路２２に向けて搬送される。主搬送路２２は、取り出しロール１８から後述する定着装置５４までの記録媒体通路である。また、主搬送路２２は、図２，３等を用いて後述する搬送路切替機構６２により、定着装置５４の下流側で排出用搬送路２４又は周回用搬送路２６のいずれかに切り替え可能に接続される。
【００２１】
排出用搬送路２４は、定着装置５４から排出口２８までの記録媒体通路を構成している。また、主搬送路２２の排出口２８の近傍には排出ロール２９が配置されている。周回用搬送路２６は、定着装置５４から主搬送路２２への合流点Ａまでの記録媒体通路であり、記録媒体を搬送する搬送ロール３０ａ，３０ｂを備えて、記録媒体を周回させる周回路を主搬送路２２と共に構成するようにされている。
【００２２】
主搬送路２２の定着装置５４の上流側には像保持体３２と、表面に弾性を有する転写ロール３４とが配置されている。ここで、像保持体３２と転写ロール３４とが接触する位置は、像保持体３２が保持する現像剤像を記録媒体に転写する転写位置Ｂとなっている。像保持体３２と転写ロール３４の上流側にはレジストロール３６が配置され、レジストロール３６の上流側には記録媒体を搬送する搬送ロール３８が配置されている。
【００２３】
したがって、給紙ユニット１４の給紙カセット１７から取り出しロール１８により取り出された記録媒体は、主搬送路２２に導かれて搬送ロール３８に搬送されて、レジストロール３６により一時停止され、タイミングをとって像保持体３２と転写ロール３４との間を通って例えば黒色の現像剤像が転写され、この転写された黒色の現像剤像が定着装置５４により定着され、排出ロール２９により排出口２８から排出部１６に排出される。
【００２４】
ただし、例えば黒色以外の現像剤像が転写され定着されると、搬送路切替機構６２により主搬送路２２が周回用搬送路２６に接続されて、記録媒体は周回用搬送路２６を通って周回するようにされている。
【００２５】
画像形成装置本体１２には、例えば略中央下部にロータリ現像装置４０が配置されている。ロータリ現像装置４０は、イエロー（Ｙｅｌｌｏｗ）の現像剤を収容する現像器４２Ｙ、マゼンタ（Ｍａｇｅｎｔａ）の現像剤を収容する現像器４２Ｍ、シアン（Ｃｙａｎ）の現像剤を収容する現像器４２Ｃ及び黒（Ｂｌａｃｋ）の現像剤を収容する現像器４２Ｋを有し、軸部４４を中心に回転（図１において右回り）するようにされている。現像器４２Ｙ，４２Ｍ，４２Ｃ，４２Ｋは、現像ロール４６Ｙ，４６Ｍ，４６Ｃ，４６Ｋをそれぞれ有し、像保持体３２が保持する静電潜像を予め定められた現像位置でそれぞれの現像剤により順次に可視化する。
【００２６】
像保持体３２の正面側には、該像保持体３２を一様帯電する例えば帯電ロールからなる帯電装置４８が設けられている。つまり像保持体３２には、現像バイアスがかけられている。また、像保持体３２には、該像保持体３２の回転方向の帯電装置４８よりも上流側に像保持体用クリーナ５０が当接している。像保持体用クリーナ５０は、転写後に像保持体３２に残留する現像剤を掻き取る。
【００２７】
ロータリ現像装置４０と帯電装置４８との間には、帯電装置４８により帯電された像保持体３２に、レーザ光などの光線により静電潜像を書き込む露光装置５２が配置されている。また、像保持体３２の背面側には、上述した転写ロール３４が位置する。転写ロール３４は、現像器４２Ｙ，４２Ｍ，４２Ｃ，４２Ｋによって可視化された現像剤像を転写位置Ｂで記録媒体に順次重ねて転写する。
【００２８】
転写位置Ｂの下流には、定着装置５４が配置されている。定着装置５４は、加熱ロール５６と加圧ロール５８とを有し、像保持体３２と転写ロール３４により現像剤像を転写された記録媒体を加熱ロール５６と加圧ロール５８との接触部分（ニップ部：定着位置Ｃ）で挟持しつつ搬送し、現像剤像に熱と圧力とを加えて記録媒体に現像剤像を定着させる。
【００２９】
また、画像形成装置本体１２内には、画像形成装置１０を構成する各部を制御する制御部６０が配置されている。
【００３０】
次に、搬送路切替機構６２について詳述する。
図２は、搬送路切替機構６２及びその周辺を示す図であって、（Ａ）は側面図であり、（Ｂ）は正面図である。
搬送路切替機構６２は、カム６４、第１の変位部材６６、第２の変位部材６８、弾性部材７０及び爪部材７２を含む。
【００３１】
カム６４は、ロータリ現像装置４０の軸方向端部に設けられており、ロータリ現像装置４０の回転軸である軸部４４を中心にロータリ現像装置４０と共に回転するようにされている。また、カム６４は、図２（Ａ）に示すように、軸部４４から外周面までの距離が均一である円柱状部７４と、軸部４４から外周面までの距離が円柱状部７４よりも短くなるようにされた変位形成部７６とを有する。
【００３２】
第１の変位部材６６は、画像形成装置本体１２に固定された軸部７８を中心に回転自在にされており、軸部７８から異なる方向に延びる２つの腕部８０，８２を有する。腕部８０は、カム６４の外周面に滑る状態で接するようにされている。腕部８２は、反軸部７８側の端部に、第２の変位部材６８に滑る状態で接するために軸部７８に平行な方向に突出する突起８４が設けられている。
【００３３】
第２の変位部材６８は、画像形成装置本体１２に対して回転自在にされた軸部８６に一端が固定され、軸部８６を中心に回転自在にされている。また、第２の変位部材６８は、他端に弾性部材７０の一端が取り付けられている。
【００３４】
弾性部材７０は、例えばバネなどであり、一端が第２の変位部材６８の端部に取り付けられ、画像形成装置本体１２から突出する凸部８８に他端が取り付けられて、第２の変位部材６８の端部（反軸部８６側）を凸部８８側に引き付ける方向に付勢している。
【００３５】
爪部材７２は、例えば複数の爪からなる第１の案内部９０と、第２の案内部９２とを図２（Ｂ）に示した記録媒体走行領域内に有し、軸部８６に固定されて第２の変位部材６８の変位に連動して変位するようにされている。第１の案内部９０は、排出用搬送路２４の一部を構成可能なように形成されている。第２の案内部９２は、周回用搬送路２６の一部を構成可能なように形成されている。
【００３６】
ロータリ現像装置４０には、軸部４４を中心に回転する歯車９４が反カム６４側に固定されている。つまり、ロータリ現像装置４０が歯車９４及び歯車９６を介してモータなどの駆動源９８の駆動力を受けて回転すると、カム６４が回転するようにされている。
【００３７】
次に、搬送路切替機構６２の動作について説明する。
図３は、搬送路切替機構６２の動作の概要を示す側面図であって、（Ａ）〜（Ｄ）はロータリ現像装置４０の回転状態を示す側面図であり、（Ｅ）〜（Ｆ）は（Ａ）〜（Ｄ）に示したロータリ現像装置４０の状態に対応する搬送路切替機構６２の状態を示す側面図である。
【００３８】
図３（Ａ）に示すように、現像ロール４６Ｋが現像位置で像保持体３２に対向するようにロータリ現像装置４０が回転すると、図３（Ｅ）に示すように、第１の変位部材６６の腕部８０にカム６４の変位形成部７６が接触するようにカム６４が回転する。変位形成部７６が腕部８０に接触するようにカム６４が回転すると、腕部８２の突起８４が軸部７８を中心にして凸部８８側に近づく方向に変位するため、第２の変位部材６８の反軸部８６側の端部が凸部８８側に引き付けられ、第１の案内部９０が排出用搬送路２４の一部を構成する方向に爪部材７２が変位（図３において左回りの方向に移動）する。
【００３９】
図３（Ｂ）に示すように、現像ロール４６Ｙが現像位置で像保持体３２に対向するようにロータリ現像装置４０が回転すると、図３（Ｆ）に示すように、第１の変位部材６６の腕部８０にカム６４の円柱状部７４が接触するようにカム６４が回転する。円柱状部７４が腕部８０に接触するようにカム６４が回転すると、弾性部材７０の付勢に抗して腕部８２の突起８４が軸部７８を中心に凸部８８から離れる方向に変位するため、第２の変位部材６８の反軸部８６側の端部が凸部８８から離れる方向に変位し、第２の案内部９２が周回用搬送路２６の一部を構成する方向に爪部材７２が変位（図３において右回りの方向に移動）する。
【００４０】
図３（Ｃ）に示すように、現像ロール４６Ｍが現像位置で像保持体３２に対向するようにロータリ現像装置４０が回転しても、図３（Ｇ）に示すように、第１の変位部材６６の腕部８０にカム６４の円柱状部７４が接触している。つまり、現像ロール４６Ｍが現像位置で像保持体３２に対向するようにロータリ現像装置４０が回転しても、第１の変位部材６６が変位しないため、第２の変位部材６８も変位せず、第２の案内部９２が周回用搬送路２６の一部を構成する状態が維持される。
【００４１】
図３（Ｄ）に示すように、現像ロール４６Ｃが現像位置で像保持体３２に対向するようにロータリ現像装置４０が回転しても、図３（Ｈ）に示すように、第１の変位部材６６の腕部８０にカム６４の円柱状部７４が接触している。つまり、現像ロール４６Ｃが現像位置で像保持体３２に対向するようにロータリ現像装置４０が回転しても、第１の変位部材６６が変位しないため、第２の変位部材６８も変位せず、第２の案内部９２が周回用搬送路２６の一部を構成する状態が維持される。
【００４２】
次に、画像形成装置１０の全体動作（白黒印刷）について説明する。
図４は、白黒印刷を行う場合の画像形成装置１０の状態を示す側面図である。
図５は、図４に示した画像形成装置１０における搬送路切替機構６２と、排出用搬送路２４及び主搬送路２２との関係を示す側面図である。
図４に示すように、画像形成装置１０は、例えばＡ４サイズの記録媒体に白黒印刷を行う場合、例えば作業者によって開閉部１３が開かれることにより画像形成装置本体１２の上部に排出部１６が形成され、例えば作業者によって給紙ユニット１４が開かれて給紙カセット１７に記録媒体が収容されることにより、印刷動作が可能となる。
【００４３】
画像形成装置１０は、白黒印刷に対応する画像形成信号が送られると、像保持体３２が帯電装置４８により一様に帯電され、この帯電された像保持体３２には、画像信号に基づいて露光装置５２から黒の画像に対応する光線が出射される。露光装置５２からの光線は、像保持体３２の表面を露光し、静電潜像が形成される。また、制御部６０は、白黒印刷を行う場合、現像器４２Ｋの現像ロール４６Ｋが像保持体３２に対向するようにロータリ現像装置４０を回転させると共に、現像ロール４６Ｋに予め定められたの電圧（現像バイアス）を印加する。
【００４４】
現像器４２Ｋの現像ロール４６Ｋが像保持体３２に対向するようにロータリ現像装置４０が回転すると、図３（Ｅ）及び図５に示したように変位形成部７６が腕部８０に接触するようにカム６４が回転し、第１の変位部材６６及び第２の変位部材６８が変位して、主搬送路２２が排出用搬送路２４に接続される。
【００４５】
像保持体３２に保持された静電潜像は、現像器４２Ｋの現像ロール４６Ｋに供給されるブラック（黒）の現像剤で現像され、給紙ユニット１４から主搬送路２２を通って供給された記録媒体に転写される。像保持体３２に残留する現像剤は、像保持体用クリーナ５０により掻き取られ、回収される。黒の現像剤像を転写された記録媒体は、定着装置５４に導かれ、加熱ロール５６と加圧ロール５８とによって黒の現像剤像を定着される。
【００４６】
黒の現像剤像を定着された記録媒体は、主搬送路２２に接続された排出用搬送路２４に導かれ、排出ロール２９に向けて案内される。排出ロール２９は、記録媒体を排出口２８から排出部１６へ排出する。
【００４７】
次に、画像形成装置１０の全体動作（カラー印刷）について説明する。
図６は、カラー印刷を行う場合の画像形成装置１０の状態を例示する側面図である。
図７は、図６に示した画像形成装置１０における搬送路切替機構６２と、周回用搬送路２６及び主搬送路２２との関係を示す側面図である。
図６に示すように、画像形成装置１０は、例えばＡ４サイズの記録媒体にカラー印刷を行う場合、例えば作業者によって開閉部１３が開かれることにより画像形成装置本体１２の上部に排出部１６が形成され、例えば作業者によって給紙ユニット１４が開かれて給紙カセット１７に記録媒体が収容されることにより、印刷動作が可能となる。
【００４８】
画像形成装置１０は、カラー印刷に対応する画像形成信号が送られると、像保持体３２が帯電装置４８により一様に帯電され、この帯電された像保持体３２には、画像信号に基づいて露光装置５２からイエローの画像に対応する光線が出射される。露光装置５２からの光線は、像保持体３２の表面を露光し、静電潜像が形成される。また、制御部６０は、カラー印刷を行う場合、例えば現像器４２Ｙの現像ロール４６Ｙが最初に像保持体３２に対向するようにロータリ現像装置４０を回転させると共に、現像ロール４６Ｙに予め定められたの電圧（現像バイアス）を印加する。
【００４９】
現像器４２Ｙの現像ロール４６Ｙが像保持体３２に対向するようにロータリ現像装置４０が回転すると、図３（Ｆ）及び図７に示したように円柱状部７４が腕部８０に接触するようにカム６４が回転し、第１の変位部材６６及び第２の変位部材６８が変位して、主搬送路２２が周回用搬送路２６に接続される。
【００５０】
像保持体３２に保持された静電潜像は、現像器４２Ｙの現像ロール４６Ｙに供給されるイエローの現像剤で現像され、給紙ユニット１４から主搬送路２２を通って供給された記録媒体に転写される。イエローの現像剤像を転写された記録媒体は、定着装置５４に導かれ、加熱ロール５６と加圧ロール５８とによってイエローの現像剤像を定着される。
【００５１】
イエローの現像剤像を定着された記録媒体は、主搬送路２２に接続された周回用搬送路２６に導かれ、主搬送路２２との合流点Ａ及びレジストロール３６を介して転写位置Ｂへ向けて搬送される。像保持体３２に残留する現像剤は、像保持体用クリーナ５０により掻き取られ、回収される。
【００５２】
像保持体３２は再び帯電装置４８により一様に帯電され、この帯電された像保持体３２には、画像信号に基づいて露光装置５２からマゼンタの画像に対応する光線が出射される。露光装置５２からの光線は、像保持体３２の表面を露光し、静電潜像が形成される。
【００５３】
制御部６０は、現像器４２Ｍの現像ロール４６Ｍが像保持体３２に対向するようにロータリ現像装置４０を回転させると共に、現像ロール４６Ｍに予め定められたの電圧（現像バイアス）を印加する。
【００５４】
現像器４２Ｍの現像ロール４６Ｍが像保持体３２に対向するようにロータリ現像装置４０が回転すると、図３（Ｇ）に示したように円柱状部７４が腕部８０に接触した状態でカム６４が回転し、主搬送路２２と周回用搬送路２６との接続が維持される。
【００５５】
像保持体３２に保持された静電潜像は、現像器４２Ｍの現像ロール４６Ｍに供給されるマゼンタの現像剤で現像される。像保持体３２が保持するマゼンタの現像剤像は、イエローの現像剤像が転写された記録媒体に重ねて転写される。
【００５６】
マゼンタの現像剤像を転写された記録媒体は、定着装置５４に導かれ、加熱ロール５６と加圧ロール５８とによって現像剤像を定着される。
【００５７】
現像剤像を定着された記録媒体は、主搬送路２２に接続された周回用搬送路２６に導かれ、主搬送路２２との合流点Ａ及びレジストロール３６を介して転写位置Ｂへ向けて搬送される。像保持体３２に残留する現像剤は、像保持体用クリーナ５０により掻き取られ、回収される。
【００５８】
像保持体３２は再び帯電装置４８により一様に帯電され、この帯電された像保持体３２には、画像信号に基づいて露光装置５２からシアンの画像に対応する光線が出射される。露光装置５２からの光線は、像保持体３２の表面を露光し、静電潜像が形成される。
【００５９】
制御部６０は、現像器４２Ｃの現像ロール４６Ｃが像保持体３２に対向するようにロータリ現像装置４０を回転させると共に、現像ロール４６Ｃに予め定められたの電圧（現像バイアス）を印加する。
【００６０】
現像器４２Ｃの現像ロール４６Ｃが像保持体３２に対向するようにロータリ現像装置４０が回転すると、図３（Ｈ）に示したように円柱状部７４が腕部８０に接触した状態でカム６４が回転し、主搬送路２２と周回用搬送路２６との接続が維持される。
【００６１】
像保持体３２に保持された静電潜像は、現像器４２Ｃの現像ロール４６Ｃに供給されるシアンの現像剤で現像される。像保持体３２が保持するシアンの現像剤像は、現像剤像が重ねて転写された記録媒体にさらに重ねて転写される。
【００６２】
シアンの現像剤像を転写された記録媒体は、定着装置５４に導かれ、加熱ロール５６と加圧ロール５８とによって現像剤像を定着される。
【００６３】
現像剤像を定着された記録媒体は、主搬送路２２に接続された周回用搬送路２６に導かれ、主搬送路２２との合流点Ａ及びレジストロール３６を介して転写位置Ｂへ向けて搬送される。像保持体３２に残留する現像剤は、像保持体用クリーナ５０により掻き取られ、回収される。
【００６４】
像保持体３２は再び帯電装置４８により一様に帯電され、この帯電された像保持体３２には、画像信号に基づいて露光装置５２から黒の画像に対応する光線が出射される。露光装置５２からの光線は、像保持体３２の表面を露光し、静電潜像が形成される。
【００６５】
制御部６０は、現像器４２Ｋの現像ロール４６Ｋが像保持体３２に対向するようにロータリ現像装置４０を回転させると共に、現像ロール４６Ｋに予め定められたの電圧（現像バイアス）を印加する。
【００６６】
現像器４２Ｋの現像ロール４６Ｋが像保持体３２に対向するようにロータリ現像装置４０が回転すると、図３（Ｅ）及び図５に示したように変位形成部７６が腕部８０に接触するようにカム６４が回転し、第１の変位部材６６及び第２の変位部材６８が変位して、主搬送路２２が排出用搬送路２４に接続される。
【００６７】
像保持体３２に保持された静電潜像は、現像器４２Ｋの現像ロール４６Ｋに供給されるブラック（黒）の現像剤で現像され、給紙ユニット１４から主搬送路２２を通って供給された記録媒体に転写される。像保持体３２に残留する現像剤は、像保持体用クリーナ５０により掻き取られ、回収される。黒の現像剤像を転写された記録媒体は、定着装置５４に導かれ、加熱ロール５６と加圧ロール５８とによって黒の現像剤像を定着される。
【００６８】
黒の現像剤像を定着された記録媒体は、主搬送路２２に接続された排出用搬送路２４に導かれ、排出ロール２９に向けて案内される。排出ロール２９は、記録媒体を排出口２８から排出部１６へ排出する。
【００６９】
次に本発明の第２の実施形態を図面に基づいて説明する。
図８において、本発明の第２の実施形態に係る画像形成装置１００の概要が示されている。画像形成装置１００は、画像形成装置本体１１２を有し、この画像形成装置本体１１２の正面側（図８において左側）に排出部１１３が設けられ、画像形成装置本体１２の例えば上部に給紙ユニット１１４が配置されている。
【００７０】
給紙ユニット１１４は、用紙などの記録媒体を収容する給紙カセット１１７を有する。給紙カセット１１７は、伸縮可能にされており、例えば収容可能な最大サイズの記録媒体がＡ４サイズの用紙にされている。給紙カセット１１７には、給紙カセット１１７から記録媒体を取り出す取り出しロール１１８が配置されている。
【００７１】
取り出しロール１１８が給紙カセット１１７から取り出した記録媒体は、供給ロール１２０と図示しない捌き部材とによって捌かれ、１枚づつ主搬送路１２２に向けて搬送される。主搬送路１２２は、取り出しロール１１８から後述する定着装置１５４までの記録媒体通路である。また、主搬送路１２２は、図１０，１１等を用いて後述する切替機構１６２により、定着装置１５４の下流側で排出用搬送路１２４又は周回用搬送路１２６のいずれかに切り替え可能に接続される。
【００７２】
排出用搬送路１２４は、定着装置１５４から排出口１２８までの記録媒体通路を構成している。また、主搬送路１２２の排出口１２８の近傍には排出ロール１２９が配置されている。周回用搬送路１２６は、定着装置１５４から主搬送路１２２への合流点Ａまでの記録媒体通路であり、記録媒体を搬送する搬送ロール１３０ａ，１３０ｂを備えて、記録媒体を周回させる周回路を主搬送路１２２と共に構成するようにされている。
【００７３】
主搬送路１２２の定着装置１５４の上流側には像保持体１３２と、表面に弾性を有する転写ロール１３４とが配置されている。ここで、像保持体１３２と転写ロール１３４とが接触する位置は、像保持体１３２が保持する現像剤像を記録媒体に転写する転写位置Ｂとなっている。像保持体１３２と転写ロール１３４の上流側にはレジストロール１３６が配置され、レジストロール１３６の上流側には記録媒体を搬送する搬送ロール１３８が配置されている。
【００７４】
したがって、給紙ユニット１１４の給紙カセット１１７から取り出しロール１１８により取り出された記録媒体は、主搬送路１２２に導かれて搬送ロール１３８に搬送されて、レジストロール１３６により一時停止され、タイミングをとって像保持体１３２と転写ロール１３４との間を通って例えば黒色の現像剤像が転写され、この転写された黒色の現像剤像が定着装置１５４により定着され、排出ロール１２９により排出口１２８から排出部１１３に排出される。
【００７５】
ただし、例えば黒色以外の現像剤像が転写され定着されると、切替機構１６２により主搬送路１２２が周回用搬送路１２６に接続されて、記録媒体は周回用搬送路１２６を通って周回するようにされている。
【００７６】
画像形成装置本体１１２には、例えば略中央背面側にイエロー（Ｙｅｌｌｏｗ）の現像剤を収容する現像器１４２Ｙ、マゼンタ（Ｍａｇｅｎｔａ）の現像剤を収容する現像器１４２Ｍ、シアン（Ｃｙａｎ）の現像剤を収容する現像器１４２Ｃ及び黒（Ｂｌａｃｋ）の現像剤を収容する現像器１４２Ｋが配置されている。現像器１４２Ｙ，１４２Ｍ，１４２Ｃ，１４２Ｋは、現像ロール１４６Ｙ，１４６Ｍ，１４６Ｃ，１４６Ｋをそれぞれ有し、像保持体１３２が保持する静電潜像をそれぞれの現像剤により順次に可視化する。
【００７７】
像保持体１３２の上方には、該像保持体１３２を一様帯電する例えば帯電ロールからなる帯電装置１４８が設けられている。つまり像保持体１３２には、現像バイアスがかけられている。また、像保持体１３２には、該像保持体１３２の回転方向の帯電装置１４８よりも上流側に像保持体用クリーナ１５０が当接している。像保持体用クリーナ１５０は、転写後に像保持体１３２に残留する現像剤を掻き取る。
【００７８】
像保持体１３２の上方には、帯電装置１４８により帯電された像保持体１３２に、レーザ光などの光線により静電潜像を書き込む露光装置１５２が配置されている。また、像保持体１３２の下方には、上述した転写ロール１３４が位置する。転写ロール１３４は、現像器１４２Ｙ，１４２Ｍ，１４２Ｃ，１４２Ｋによって可視化された現像剤像を転写位置Ｂで記録媒体に順次重ねて転写する。
【００７９】
転写位置Ｂの下流には、定着装置１５４が配置されている。定着装置１５４は、加熱ロール１５６と加圧ロール１５８とを有し、像保持体１３２と転写ロール１３４により現像剤像を転写された記録媒体を加熱ロール１５６と加圧ロール１５８との接触部分（ニップ部：定着位置Ｃ）で挟持しつつ搬送し、現像剤像に熱と圧力とを加えて記録媒体に現像剤像を定着させる。
【００８０】
また、画像形成装置本体１１２内には、画像形成装置１００を構成する各部を制御する制御部１６０が配置されている。
【００８１】
次に、現像ロール１４６Ｙ，１４６Ｍ，１４６Ｃ，１４６Ｋを駆動するための駆動系１６４と、切替機構１６２とについて詳述する。
図９は、現像ロール１４６Ｙ，１４６Ｍ，１４６Ｃ，１４６Ｋを駆動するための駆動系１６４を示す図であって、（Ａ）は駆動系の側面図であり、（Ｂ）は駆動系の正面図である。モータ１６６は、歯車１６８の回転軸に接続されており、歯車１６８を駆動する。
【００８２】
伝達部材１７０Ｙは、歯車１６８，１７２，１７４，１７６ａを介してモータ１６６に駆動され、図１０，１１等を用いて詳述する切替機構１６２の動作に応じて、現像ロール１４６Ｙに固定された被伝達部材１７８Ｙにモータ１６６の駆動力を伝達する。伝達部材１７０Ｍは、歯車１６８，１７２，１７４，１７６ａを介してモータ１６６に駆動され、切替機構１６２の動作に応じて、現像ロール１４６Ｍに固定された被伝達部材１７８Ｍにモータ１６６の駆動力を伝達する。伝達部材１７０Ｃは、歯車１６８，１７２，１７４，１７６ｂを介してモータ１６６に駆動され、切替機構１６２の動作に応じて、現像ロール１４６Ｃに固定された被伝達部材１７８Ｃにモータ１６６の駆動力を伝達する。伝達部材１７０Ｋは、歯車１６８，１７２，１７４，１７６Ｂを介してモータ１６６に駆動され、切替機構１６２の動作に応じて、現像ロール１４６Ｋに固定された被伝達部材１７８Ｋにモータ１６６の駆動力を伝達する。
【００８３】
つまり、伝達部材１７０Ｙ，１７０Ｍ，１７０Ｃ，１７０Ｋは、被伝達部材１７８Ｙ，１７８Ｍ，１７８Ｃ，１７８Ｋとそれぞれカップリングを構成し、モータ１６６の駆動力を現像ロール１４６Ｙ，１４６Ｍ，１４６Ｃ，１４６Ｋに個別に伝達する。なお、伝達部材１７０Ｙ，１７０Ｍ，１７０Ｃ，１７０Ｋは、被伝達部材１７８Ｙ，１７８Ｍ，１７８Ｃ，１７８Ｋとの間にそれぞれバネ等の弾性部材１８０Ｙ，１８０Ｍ，１８０Ｃ，１８０Ｋが設けられており、被伝達部材１７８Ｙ，１７８Ｍ，１７８Ｃ，１７８Ｋからそれぞれ離れる方向に付勢されている。
【００８４】
図１０は、切替機構１６２を示す図であって、（Ａ）は切替機構１６２の側面図であり、（Ｂ）は切替機構１６２の拡大正面図である。
図１１は、切替機構１６２及びその周辺を示す正面図である。
切替機構１６２は、回転板１８２、移動部材１８４Ｙ，１８４Ｍ，１８４Ｃ，１８４Ｋ、第１の変位部材１８６、第２の変位部材１８８、弾性部材１９０及び爪部材１９２を含み、歯車１９４を介して回転板１８２がモータ１９６に駆動されることにより動作するようにされている。
【００８５】
回転板１８２は、画像形成装置本体１２内に配置された仕切板１９８に対して軸部２００を中心に回転自在に支持され、画像形成装置本体１２及び仕切板１９８に略平行な状態で回転可能にされている。また、回転板１８２には、仕切板１９８側の面に突出部２０２ａ，２０２ｂが軸部２００を挟んで互いに対向するように設けられ、軸部２００を中心に回転するカム２０４が画像形成装置本体１２側の面に設けられている。
【００８６】
突出部２０２ａ，２０２ｂは、回転板１８２が回転することによって軸部２００を中心に回転し、回転板１８２が１回転する間にそれぞれ移動部材１８４Ｙ，１８４Ｍ，１８４Ｃ，１８４Ｋに１回ずつ接触し、移動部材１８４Ｙ，１８４Ｍ，１８４Ｃ，１８４Ｋを１回ずつ仕切板１９８側に移動させる。移動部材１８４Ｙ，１８４Ｍ，１８４Ｃ，１８４Ｋは、突出部２０２ａ，２０２ｂによって移動させられると、順次に一部が仕切板１９８を貫通して伝達部材１７０Ｙ，１７０Ｍ，１７０Ｃ，１７０Ｋ（図９参照）を被伝達部材１７８Ｙ，１７８Ｍ，１７８Ｃ，１７８Ｋに順次に連結させる。なお、移動部材１８４Ｙ，１８４Ｍ，１８４Ｃ，１８４Ｋは、突出部２０２ａ，２０２ｂによって仕切板１９８側に移動させられていない場合には、弾性部材１８０Ｙ，１８０Ｍ，１８０Ｃ，１８０Ｋによって付勢された伝達部材１７０Ｙ，１７０Ｍ，１７０Ｃ，１７０Ｋにより、仕切板１９８側から回転板１８２側に移動させられる。
つまり、突出部２０２ａ，２０２ｂによって移動させられた移動部材１８４Ｙ，１８４Ｍ，１８４Ｃ，１８４Ｋのいずれかが移動させている伝達部材１７０Ｙ，１７０Ｍ，１７０Ｃ，１７０Ｋのいずれかのみが被伝達部材１７８Ｙ，１７８Ｍ，１７８Ｃ，１７８Ｋのいずれかに駆動力を伝達するようにされている。
【００８７】
カム２０４は、軸部２００から外周面までの距離が均一である円柱状部２０６と、軸部２００から外周面までの距離が円柱状部２０６よりも長くなるようにされた変位形成部２０８ａ，２０８ｂとを有する。変位形成部２０８ａ，２０８ｂは、軸部２００を挟んで互いに対向するように設けられている。
【００８８】
第１の変位部材１８６は、画像形成装置本体１１２に固定された軸部２１０を中心に回転自在にされており、軸部２１０から異なる方向に延びる２つの腕部２１２，２１４を有する。腕部２１２は、カム２０４の外周面に滑る状態で接するようにされており、変位形成部２０８ａ、円柱状部２０６、変位形成部２０８ｂ、円柱状部２０６が順に接触する。腕部２１４は、反軸部２１０側の端部に、第２の変位部材１８８に滑る状態で接するために軸部２１０に平行な方向に突出する突起２１６が設けられている。
【００８９】
第２の変位部材１８８は、画像形成装置本体１１２に対して回転自在にされた軸部２１８に一端が固定され、軸部２１８を中心に回転自在にされている。また、第２の変位部材１８８は、他端に弾性部材１９０の一端が取り付けられている。
【００９０】
弾性部材１９０は、例えばバネなどであり、一端が第２の変位部材１８８の端部に取り付けられ、画像形成装置本体１１２から突出する凸部２２０に他端が取り付けられて、第２の変位部材１８８の端部（反軸部２１８側）を凸部２２０側に引き付ける方向に付勢している。
【００９１】
爪部材１９２は、例えば複数の爪からなる第１の案内部２２２と、第２の案内部２２４とを図１１に示した記録媒体走行領域内に有し、軸部２１８に固定されて第２の変位部材１８８の変位に連動して変位するようにされている。第１の案内部２２２は、排出用搬送路１２４の一部を構成可能なように形成されている。第２の案内部２２４は、周回用搬送路１２６の一部を構成可能なように形成されている。
【００９２】
次に、切替機構１６２の動作について説明する。
図１２乃至図１５において、切替機構１６２の動作が順次に示されている。
図１２（Ａ）に示すように、回転板１８２が軸部２００を中心に回転し、突出部２０２ａが移動部材１８４Ｋに接触すると、図１２（Ｂ）に示すように、移動部材１８４Ｋの一部が仕切板１９８を貫通して、伝達部材１７０Ｋが被伝達部材１７８Ｋに連結される。
また、図１２（Ａ）に示すように、回転板１８２が軸部２００を中心に回転し、突出部２０２ａが移動部材１８４Ｋに接触すると、図１２（Ｃ）に示すように、第１の変位部材１８６の腕部２１２にカム２０４の変位形成部２０８ａが接触するようにカム２０４が回転する。変位形成部２０８ａが腕部２１２に接触するようにカム２０４が回転すると、腕部２１４の突起２１６が軸部２１０を中心にして凸部２２０から離れる方向に変位するため、第２の変位部材１８８の反軸部２１８側の端部が凸部２２０から引き離され、第１の案内部２２２が排出用搬送路１２４の一部を構成する方向に爪部材１９２が変位（図１２において左回りの方向に移動）する。
【００９３】
つまり、突出部２０２ａ（又は突出部２０２ｂ）が移動部材１８４Ｋを移動させるように回転板１８２が回転することにより、伝達部材１７０Ｋが被伝達部材１７８Ｋに連結されて、モータ１６６の駆動力（図９）が現像ロール１４６Ｋ（図８）に伝達されると共に、変位形成部２０８ａ（又は変位形成部２０８ｂ）が第１の変位部材１８６及び第２の変位部材１８８を変位させて、第１の案内部２２２が排出用搬送路１２４の一部を構成する方向に爪部材１９２が変位する。
【００９４】
図１３（Ａ）に示すように、回転板１８２が軸部２００を中心に回転し、変位形成部２０８ｂが移動部材１８４Ｙに接触すると、図１３（Ｂ）に示すように、移動部材１８４Ｙの一部が仕切板１９８を貫通して、伝達部材１７０Ｙが被伝達部材１７８Ｙに連結される。
また、図１３（Ａ）に示すように、回転板１８２が軸部２００を中心に回転し、突出部２０２ｂが移動部材１８４Ｙに接触すると、図１３（Ｃ）に示すように、第１の変位部材１８６の腕部２１２にカム２０４の円柱状部２０６が接触するようにカム２０４が回転する。円柱状部２０６が腕部２１２に接触するようにカム２０４が回転すると、腕部２１４の突起２１６が軸部２１０を中心にして凸部２２０に近づく方向に変位するため、第２の変位部材１８８の反軸部２１８側の端部が凸部２２０に引き付けられ、第２の案内部２２４が周回用搬送路１２６の一部を構成する方向に爪部材１９２が変位（図１３において右回りの方向に移動）する。
【００９５】
つまり、突出部２０２ｂ（又は突出部２０２ａ）が移動部材１８４Ｙを移動させるように回転板１８２が回転することにより、伝達部材１７０Ｙが被伝達部材１７８Ｙに連結されて、モータ１６６の駆動力（図９）が現像ロール１４６Ｙ（図８）に伝達されると共に、円柱状部２０６が第１の変位部材１８６及び第２の変位部材１８８を変位させて、第２の案内部２２４が周回用搬送路１２６の一部を構成する方向に爪部材１９２が変位する。
【００９６】
図１４（Ａ）に示すように、回転板１８２が軸部２００を中心に回転し、変位形成部２０８ｂが移動部材１８４Ｍに接触すると、図１４（Ｂ）に示すように、移動部材１８４Ｍの一部が仕切板１９８を貫通して、伝達部材１７０Ｍが被伝達部材１７８Ｍに連結される。
また、図１４（Ａ）に示すように、回転板１８２が軸部２００を中心に回転し、突出部２０２ｂが移動部材１８４Ｍに接触すると、図１４（Ｃ）に示すように、第１の変位部材１８６の腕部２１２にカム２０４の円柱状部２０６が接触しつつカム２０４が回転する。円柱状部２０６が腕部２１２に接触しつつカム２０４が回転すると、突起２１６に位置が維持されるため、第２の案内部２２４が周回用搬送路１２６の一部を構成する状態が維持される。
【００９７】
つまり、突出部２０２ｂ（又は突出部２０２ａ）が移動部材１８４Ｍを移動させるように回転板１８２が回転することにより、伝達部材１７０Ｍが被伝達部材１７８Ｍに連結されて、モータ１６６の駆動力（図９）が現像ロール１４６Ｍ（図８）に伝達されると共に、円柱状部２０６が第１の変位部材１８６及び第２の変位部材１８８の位置を維持させて、第２の案内部２２４が周回用搬送路１２６の一部を構成する状態が維持される。
【００９８】
図１５（Ａ）に示すように、回転板１８２が軸部２００を中心に回転し、変位形成部２０８ｂが移動部材１８４Ｃに接触すると、図１５（Ｂ）に示すように、移動部材１８４Ｃの一部が仕切板１９８を貫通して、伝達部材１７０Ｃが被伝達部材１７８Ｃに連結される。
また、図１５（Ａ）に示すように、回転板１８２が軸部２００を中心に回転し、突出部２０２ｂが移動部材１８４Ｃに接触すると、図１５（Ｃ）に示すように、第１の変位部材１８６の腕部２１２にカム２０４の円柱状部２０６が接触しつつカム２０４が回転する。円柱状部２０６が腕部２１２に接触しつつカム２０４が回転すると、突起２１６の位置が維持されるため、第２の案内部２２４が周回用搬送路１２６の一部を構成する状態が維持される。
【００９９】
つまり、突出部２０２ｂ（又は突出部２０２ａ）が移動部材１８４Ｃを移動させるように回転板１８２が回転することにより、伝達部材１７０Ｃが被伝達部材１７８Ｃに連結されて、モータ１６６の駆動力（図９）が現像ロール１４６Ｃ（図８）に伝達されると共に、円柱状部２０６が第１の変位部材１８６及び第２の変位部材１８８の位置を維持させて、第２の案内部２２４が周回用搬送路１２６の一部を構成する状態が維持される。
【０１００】
このように、画像形成装置１００は、予め定められた方向に回転板１８２が回転することにより、現像ロール１４６Ｙ，１４６Ｍ，１４６Ｃ，１４６Ｋに対する駆動力の伝達先を切り替えるとともに、排出用搬送路１２４と周回用搬送路１２６とを切り替える。
【０１０１】
次に、画像形成装置１００の全体動作（白黒印刷）について説明する。
図１６は、図８に示した画像形成装置１００における切替機構１６２と、排出用搬送路１２４及び主搬送路１２２との関係を示す側面図である。
画像形成装置１００は、白黒印刷に対応する画像形成信号が送られると、像保持体１３２が帯電装置１４８により一様に帯電され、この帯電された像保持体１３２には、画像信号に基づいて露光装置１５２から黒の画像に対応する光線が出射される。露光装置１５２からの光線は、像保持体１３２の表面を露光し、静電潜像が形成される。また、制御部１６０は、白黒印刷を行う場合、現像器１４２Ｋの現像ロール１４６Ｋが駆動されるように回転板１８２を回転させると共に、現像ロール１４６Ｋに予め定められたの電圧（現像バイアス）を印加する。
【０１０２】
現像器１４２Ｋの現像ロール１４６Ｋが駆動されるように回転板１８２が回転すると、図１２（Ｃ）にも示したように変位形成部２０８ａ（又は変位形成部２０８ｂ）が腕部２１２に接触するようにカム２０４が回転し、第１の変位部材１８６及び第２の変位部材１８８が変位して、主搬送路１２２が排出用搬送路１２４に接続される。
【０１０３】
像保持体１３２に保持された静電潜像は、現像器１４２Ｋの現像ロール１４６Ｋに供給されるブラック（黒）の現像剤で現像され、給紙ユニット１１４から主搬送路１２２を通って供給された記録媒体に転写される。像保持体１３２に残留する現像剤は、像保持体用クリーナ１５０により掻き取られ、回収される。黒の現像剤像を転写された記録媒体は、定着装置１５４に導かれ、加熱ロール１５６と加圧ロール１５８とによって黒の現像剤像を定着される。
【０１０４】
黒の現像剤像を定着された記録媒体は、主搬送路１２２に接続された排出用搬送路１２４に導かれ、排出ロール１２９に向けて案内される。排出ロール１２９は、記録媒体を排出口１２８から排出部１１３へ排出する。
【０１０５】
次に、画像形成装置１００の全体動作（カラー印刷）について説明する。
図１７は、画像形成装置１００がイエローの画像印刷を行う場合における切替機構１６２と、周回用搬送路１２６及び主搬送路１２２との関係を示す側面図である。
画像形成装置１００は、カラー印刷に対応する画像形成信号が送られると、像保持体１３２が帯電装置１４８により一様に帯電され、この帯電された像保持体１３２には、画像信号に基づいて露光装置１５２からイエローの画像に対応する光線が出射される。露光装置１５２からの光線は、像保持体１３２の表面を露光し、静電潜像が形成される。また、制御部１６０は、カラー印刷を行う場合、例えば現像器１４２Ｙの現像ロール１４６Ｙが最初に駆動されるように回転板１８２を回転させると共に、現像ロール１４６Ｙに予め定められたの電圧（現像バイアス）を印加する。
【０１０６】
現像器１４２Ｙの現像ロール１４６Ｙが駆動されるように回転板１８２が回転すると、図１３（Ｃ）にも示したように円柱状部２０６が腕部２１２に接触するようにカム２０４が回転し、第１の変位部材１８６及び第２の変位部材１８８が変位して、主搬送路１２２が周回用搬送路１２６に接続される。
【０１０７】
像保持体１３２に保持された静電潜像は、現像器１４２Ｙの現像ロール１４６Ｙに供給されるイエローの現像剤で現像され、給紙ユニット１１４から主搬送路１２２を通って供給された記録媒体に転写される。イエローの現像剤像を転写された記録媒体は、定着装置１５４に導かれ、加熱ロール１５６と加圧ロール１５８とによってイエローの現像剤像を定着される。
【０１０８】
イエローの現像剤像を定着された記録媒体は、主搬送路１２２に接続された周回用搬送路１２６に導かれ、主搬送路１２２との合流点Ａ及びレジストロール１３６を介して転写位置Ｂへ向けて搬送される。像保持体１３２に残留する現像剤は、像保持体用クリーナ１５０により掻き取られ、回収される。
【０１０９】
像保持体１３２は再び帯電装置１４８により一様に帯電され、この帯電された像保持体１３２には、画像信号に基づいて露光装置１５２からマゼンタの画像に対応する光線が出射される。露光装置１５２からの光線は、像保持体１３２の表面を露光し、静電潜像が形成される。
【０１１０】
制御部１６０は、現像器１４２Ｍの現像ロール１４６Ｍが駆動されるように回転板１８２を回転させると共に、現像ロール１４６Ｍに予め定められたの電圧（現像バイアス）を印加する。
【０１１１】
現像器１４２Ｍの現像ロール１４６Ｍが駆動されるように回転板１８２が回転すると、図１４（Ｃ）に示したように、円柱状部２０６が腕部２１２に接触した状態でカム２０４が回転し、主搬送路１２２が周回用搬送路１２６に接続された状態が維持される。
【０１１２】
像保持体１３２に保持された静電潜像は、現像器１４２Ｍの現像ロール１４６Ｍに供給されるマゼンタの現像剤で現像される。像保持体１３２が保持するマゼンタの現像剤像は、イエローの現像剤像が転写された記録媒体に重ねて転写される。マゼンタの現像剤像を転写された記録媒体は、定着装置１５４に導かれ、加熱ロール１５６と加圧ロール１５８とによってマゼンタの現像剤像を定着される。
【０１１３】
マゼンタの現像剤像を定着された記録媒体は、主搬送路１２２に接続された周回用搬送路１２６に導かれ、主搬送路１２２との合流点Ａ及びレジストロール１３６を介して転写位置Ｂへ向けて搬送される。像保持体１３２に残留する現像剤は、像保持体用クリーナ１５０により掻き取られ、回収される。
【０１１４】
像保持体１３２は再び帯電装置１４８により一様に帯電され、この帯電された像保持体１３２には、画像信号に基づいて露光装置１５２からシアンの画像に対応する光線が出射される。露光装置１５２からの光線は、像保持体１３２の表面を露光し、静電潜像が形成される。
【０１１５】
制御部１６０は、現像器１４２Ｃの現像ロール１４６Ｃが駆動されるように回転板１８２を回転させると共に、現像ロール１４６Ｃに予め定められたの電圧（現像バイアス）を印加する。
【０１１６】
現像器１４２Ｃの現像ロール１４６Ｃが駆動されるように回転板１８２が回転すると、図１５（Ｃ）に示したように、円柱状部２０６が腕部２１２に接触した状態でカム２０４が回転し、主搬送路１２２が周回用搬送路１２６に接続された状態が維持される。
【０１１７】
像保持体１３２に保持された静電潜像は、現像器１４２Ｃの現像ロール１４６Ｃに供給されるシアンの現像剤で現像される。像保持体１３２が保持するシアンの現像剤像は、マゼンタの現像剤像が転写された記録媒体に重ねて転写される。シアンの現像剤像を転写された記録媒体は、定着装置１５４に導かれ、加熱ロール１５６と加圧ロール１５８とによってシアンの現像剤像を定着される。
【０１１８】
シアンの現像剤像を定着された記録媒体は、主搬送路１２２に接続された周回用搬送路１２６に導かれ、主搬送路１２２との合流点Ａ及びレジストロール１３６を介して転写位置Ｂへ向けて搬送される。像保持体１３２に残留する現像剤は、像保持体用クリーナ１５０により掻き取られ、回収される。
【０１１９】
像保持体１３２は再び帯電装置１４８により一様に帯電され、この帯電された像保持体１３２には、画像信号に基づいて露光装置１５２から黒の画像に対応する光線が出射される。露光装置１５２からの光線は、像保持体１３２の表面を露光し、静電潜像が形成される。制御部１６０は、現像器１４２Ｋの現像ロール１４６Ｋが駆動されるように回転板１８２を回転させると共に、現像ロール１４６Ｋに予め定められたの電圧（現像バイアス）を印加する。
【０１２０】
現像器１４２Ｋの現像ロール１４６Ｋが駆動されるように回転板１８２が回転すると、図１２（Ｃ）及び図１６にも示したように変位形成部２０８ａ（又は変位形成部２０８ｂ）が腕部２１２に接触するようにカム２０４が回転し、第１の変位部材１８６及び第２の変位部材１８８が変位して、主搬送路１２２が排出用搬送路１２４に接続される。
【０１２１】
像保持体１３２に保持された静電潜像は、現像器１４２Ｋの現像ロール１４６Ｋに供給されるブラック（黒）の現像剤で現像され、給紙ユニット１１４から主搬送路１２２を通って供給された記録媒体に転写される。像保持体１３２に残留する現像剤は、像保持体用クリーナ１５０により掻き取られ、回収される。黒の現像剤像を転写された記録媒体は、定着装置１５４に導かれ、加熱ロール１５６と加圧ロール１５８とによって黒の現像剤像を定着される。
【０１２２】
黒の現像剤像を定着された記録媒体は、主搬送路１２２に接続された排出用搬送路１２４に導かれ、排出ロール１２９に向けて案内される。排出ロール１２９は、記録媒体を排出口１２８から排出部１１３へ排出する。
【０１２３】
なお、第２の実施形態においては、回転板１８２を駆動するモータ１９６と、現像ロール１４６Ｙ，１４６Ｍ，１４６Ｃ，１４６Ｋを駆動するためのモータ１６６とをそれぞれ設ける場合を例に説明したが、これに限定されることなく、１つのモータの駆動力を回転板１８２及び現像ロール１４６Ｙ，１４６Ｍ，１４６Ｃ，１４６Ｋに伝達するようにされてもよい。
【０１２４】
以上、第１の実施形態及び第２の実施形態の何れにおいても、イエロー、マゼンタ、シアン、黒の４色の現像器を使用して、白黒画像又はカラー画像を形成するケースで説明してきたが、必ずしも４色に限られることは無く、単色として例えば赤色等の現像器を追加したケースで単色と色重ねのケースで切替機構を連動させても良いし、又、カラー画像の形成に関して高画質や高精細の為に、ライトマゼンタやライトシアン等の現像器を追加する構成にしてもかまわない。
【符号の説明】
【０１２５】
１０，１００    画像形成装置
１２，１１２    画像形成装置本体
２２，１２２    主搬送路
２４，１２４    排出用搬送路
２６，１２６    周回用搬送路
３２，１３２    像保持体
３４，１３４    転写ロール
４０    ロータリ現像装置
４２Ｙ，４２Ｍ，４２Ｃ，４２Ｋ    現像器
１４２Ｙ，１４２Ｍ，１４２Ｃ，１４２Ｋ    現像器
４４，１４４    軸部
４６Ｙ，４６Ｍ，４６Ｃ，４６Ｋ    現像ロール
１４６Ｙ，１４６Ｍ，１４６Ｃ，１４６Ｋ    現像ロール
５４，１５４    定着装置
６０，１６０    制御部
６２    搬送路切替機構
６４，２０４    カム
６６，１８６    第１の変位部材
６８，１８８    第２の変位部材
７０，１９０    弾性部材
７２，１９２    爪部材
７４，２０６    円柱状部
７６，２０８ａ，２０８ｂ    変位形成部
９０，２２２    第１の案内部
９２，２２４    第２の案内部
９８，１６６，１９６    モータ
１６２    切替機構
１６４    駆動系
１７０Ｙ，１７０Ｍ，１７０Ｃ，１７０Ｋ    伝達部材
１７８Ｙ，１７８Ｍ，１７８Ｃ，１７８Ｋ    被伝達部材
１８０Ｙ，１８０Ｍ，１８０Ｃ，１８０Ｋ    弾性部材
１８２    回転板
１８４Ｙ，１８４Ｍ，１８４Ｃ，１８４Ｋ    移動部材
１９８    仕切板
２００    軸部
２０２ａ，２０２ｂ    突出部
【図１】
2010164873.tif 000003
【図２】
2010164873.tif 000004
【図３】
2010164873.tif 000005
【図４】
2010164873.tif 000006
【図５】
2010164873.tif 000007
【図６】
2010164873.tif 000008
【図７】
2010164873.tif 000009
【図８】
2010164873.tif 000010
【図９】
2010164873.tif 000011
【図１０】
2010164873.tif 000012
【図１１】
2010164873.tif 000013
【図１２】
2010164873.tif 000014
【図１３】
2010164873.tif 000015
【図１４】
2010164873.tif 000016
【図１５】
2010164873.tif 000017
【図１６】
2010164873.tif 000018
【図１７】
2010164873.tif 000019